(57)【要約】      （修正有）【課題】照明装置の伝送装置の効率的な動作方法を提供する。【解決手段】照明装置１２において、伝送装置（無線ユニット４４、４６等）は照射装置６２内または照射装置６２に直接接して配置されている。伝送装置に固有の識別信号を含む無線信号１８、４８を無線で放出し、固有の識別データを互いに異なる少なくとも２つのデータフォーマットで含む無線信号１８、４８を、ちょうど１つの予め決まった無線規格に従って放出する。【選択図】図２
2018107800.tif 000002
【特許請求の範囲】
【請求項１】
照射装置（６２）を有する照明装置（１２）の伝送装置（４４，４６，５２，５６）の動作方法であって、
前記伝送装置（４４，４６，５２，５６）は前記照射装置（６２）内に配置され、または前記照射装置（６２）に直接接して配置されており、前記伝送装置（４４，４６，５２，５６）に固有の識別データを含む無線信号（１８，４８，５８）を無線で放出する、動作方法において、
前記固有の識別データを互いに異なる少なくとも２つのデータフォーマットで含む前記無線信号（１８，４８，５８）を、唯一つの予め決まった無線規格に従って放出する
ことを特徴とする動作方法。
【請求項２】
前記無線信号（１８，４８，５８）を、互いに異なる前記データフォーマットの数に少なくとも一致する数の連続した信号部に時間的に分割し、前記各データフォーマットをそれぞれ、当該信号部のうち少なくとも１つに割り当てる、
請求項１記載の動作方法。
【請求項３】
前記各信号部の期間は、各割り当てられた前記データフォーマットに依存する、
請求項２記載の動作方法。
【請求項４】
全ての前記信号部に割り当てられる前記データフォーマットを、当該各データフォーマットに合わせて調整された前記伝送装置（４４，４６，５２，５６）の各フォーマッティングユニットによって提供する、
請求項２または３記載の動作方法。
【請求項５】
前記信号部のうち第１の信号部の期間の終了時点に達すると、当該第１の信号部の直後に続く第２の信号部に割り当てられたデータフォーマットに従った前記固有の識別データの出力を自動的にトリガする、
請求項２から４までのいずれか１項記載の動作方法。
【請求項６】
前記各信号部を、当該各信号部に割り当てられた、前記伝送装置（４４，４６，５２，５６）の専用の各無線ユニット（５４）によって放出する、
請求項２から５までのいずれか１項記載の動作方法。
【請求項７】
少なくとも前記伝送装置（５２）の前記無線ユニット（５４）間に通信リンクが存在する、
請求項６記載の動作方法。
【請求項８】
前記無線ユニット（５４）のうち都度アクティブな各信号部に割り当てられた無線ユニット（５４）にのみ電気エネルギーを供給する、
請求項６または７記載の動作方法。
【請求項９】
１つの無線ユニット（５４）の前記信号部のうち、互いに異なる２つのデータフォーマットで前記固有の識別データを有する少なくとも２つを放出する、
請求項６から８までのいずれか１項記載の動作方法。
【請求項１０】
前記各信号部に割り当てられるデータフォーマットおよび／または設けるべき前記信号部の数に関して前記無線ユニット（５４）を調整する、
請求項９記載の動作方法。
【請求項１１】
少なくとも、前記伝送装置（４４，４６，５２，５６）を備えた前記照明装置（１２）を用いて意図された照明動作モードで照明される領域に、前記無線信号を放出する、
請求項１から１０までのいずれか１項記載の動作方法。
【請求項１２】
前記無線信号（１８，４８，５８）の放出を、予め決まった時間間隔で繰り返す、
請求項１から１１までのいずれか１項記載の動作方法。
【請求項１３】
前記伝送装置（４４，４６，５２，５６）は受信ユニットを用いて通信端末の端末信号を受信し、当該端末信号のデータフォーマットを特定し、特定された当該データフォーマットに従って前記固有の識別データを有する前記無線信号（１８，４８，５８）を放出する、
請求項１から１２までのいずれか１項記載の動作方法。
【請求項１４】
前記特定されたデータフォーマットを前記データフォーマットと比較し、前記信号部のうちいずれか１つの信号部に当該特定されたデータフォーマットを割り当てる、
請求項１３記載の動作方法。
【請求項１５】
伝送装置（４４，４６，５２，５６）と照射装置（６２）とを有する照明装置（１２）であって、
前記伝送装置（４４，４６，５２，５６）は前記照射装置（６２）内に配置され、または前記照射装置（６２）に直接接して配置されており、
前記伝送装置（４４，４６，５２，５６）は、当該伝送装置（４４，４６，５２，５６）に固有の識別データを含む無線信号（１８，４８，５８）を無線で放出するように構成されている、照明装置（１２）において、
前記伝送装置（４４，４６，５２，５６）はさらに、前記固有の識別データを互いに異なる少なくとも２つのデータフォーマットで含む前記無線信号（１８，４８，５８）を、唯一つの予め決まった無線規格に従って放出するように構成されている
ことを特徴とする照明装置（１２）。
【発明の詳細な説明】
【技術分野】
【０００１】
本発明は、照射装置を有する照明装置の伝送装置の動作方法に関し、当該伝送装置は照射装置内に配置され、または照射装置に直接接して配置されており、伝送装置に固有の識別データを含む無線信号を無線で放出する。本発明はさらに、伝送装置および照射装置を有する照明装置にも関し、当該伝送装置は照射装置内に配置され、または照射装置に直接接して配置されており、伝送装置に固有の識別データを含む無線信号を放出するように構成されている。
【０００２】
上位概念の種類の照明システム、照明装置、照射装置および伝送装置は、基本的に従来技術において周知であるから、別段の文献証拠を要しない。照明システムを用いて、意図した用途を可能にするため、または意図した用途を支援するため、たとえば屋外または屋内の空間を、予め決定可能な態様で照明する。照明システムについては、予め決定可能な態様で光を放出する照射装置の他に、少なくとも固有の識別データをたとえば無線放送の手法で無線で放出するように構成された伝送装置も備えた照明装置を使用する頻度が、ますます多くなってきている。有利にはこの伝送装置は、近距離無線通信の手法で無線信号を放出するように構成されている。かかる伝送装置は、従来技術では「ビーコン」とも称される。
【０００３】
いわゆるビーコンを照射装置と組み合わせて、無線信号を用いてランプ固有の情報または他の情報を供給することができる。ビーコン技術は、送信システムまたは送受信システムに基づいている。ビーコン（ドイツ語では「Leuchtfeuer」、「Bake」または「Peilsender」等とも称される）は小型の、大抵はバッテリー動作する送信器であって、無線信号を、有利には規定可能な時間間隔で、たとえばブルートゥース・ロー・エナジー標準規格（ＢＬＥ）に基づいて放出する送信器である。ビーコンの無線信号は識別データによって特徴付けられ、これはたとえば一意の識別番号を含み、たとえば英語では「ユニバーサルユニーク識別子（universally unique identifier）」（ＵＵＩＤ）と称される。ビーコンを用いて、物および／または場所に、特にデジタルの識別子を割り当てることができる。このようにして、ビーコンが搭載された物、および、ビーコンが設置された場所、たとえば壁または天井を、当該ビーコンの信号フィールド内にある通信端末によって、たとえばスマートフォンおよび／またはラップトップ等によって、識別することができる。
【０００４】
よって、ビーコンを用いてたとえば場所を識別することができ、または測位を行うことができる。たとえば建物領域等、所定の領域内に１つまたは複数のビーコンを配置することにより、当該領域内に存在する通信端末が自己の無線インタフェース、特にＢＬＥインタフェースと、適切な評価手段とを用いて自己の位置を特定することができる一種の無線ベースのグリッドを設けることができる。その関連において、設置されたビーコンの個別の識別データは場所に識別子を付与し、この識別子に基づいて通信端末装置は、少なくとも近似的に位置を特定することができる。原則的にはいかなる場合においても、各ビーコンの伝送距離範囲を決定することができる。たとえば所定のアルゴリズム等を用いた適切な評価によって、たとえば信号強度および／またはこれに類するものを評価して、特定される位置の精度を改善することができる。有利には、こうするために通信端末はデータ記憶装置のデータに、たとえばインターネットおよび／または移動無線ネットワーク等の通信ネットワークを介してアクセスすることができる。データ記憶装置はたとえば、クラウドサーバ等とすることができる。このようなデータ記憶装置では、たとえば識別データと、これに関連付けられた位置データとを、地図に記録することができる。
【０００５】
したがって、通信端末が伝送装置またはビーコンの到達範囲内に入った場合、通信端末はたとえばサーバ要求を介して、特定された識別データに基づいて、自己の位置を特定することができる。他の伝送装置またはビーコンの他の無線信号を用いて、測位アルゴリズムによって精度を改善することができ、特に、当該伝送装置または当該ビーコンの各無線信号の受信フィールド強度から、各伝送装置または各ビーコンまでの距離を求めることができる。
【０００６】
原則的には照明技術は、上位概念の種類の照明システムの場合、またはその照明装置の場合、伝送装置またはビーコンを設置することができる。この関連において特に、照明設備は、伝送装置またはビーコンへ電気エネルギーを供給するためにエネルギーの常時入手を可能にするという利点を利用する。このことによって利点が奏される。すなわち、伝送装置またはビーコンはバッテリーの形態の自己の専用のエネルギー供給部を要せず、よって、これに対応する保守費用を削減することができる。その上本実施形態によって、ビーコンの動作寿命に影響を及ぼす必要なく、高エネルギー消費量を必要とする、伝送装置またはビーコンの設定の選択も可能になる。さらに、かかる伝送装置またはビーコンの設置プロセスおよび照明技術を標準化することもできる。他の利点として、有利には伝送装置またはビーコンの改ざんが防止されるように選択される、伝送装置またはビーコンの確定されたロック位置もある。このことによって、高信頼性で安全な識別子を場所に割り当てることができる。
【０００７】
以下の非限定的なリストから、伝送装置またはビーコンを照明装置に組み込む可能な用途についての概略を理解することができる：
・たとえば伝送装置またはビーコンのライフサイクルコストを削減するため、バッテリーによるエネルギー供給に代えて、照明設備のエネルギー供給を使用することができる。
・バッテリーの使用可能なエネルギー残量またはパラメータについてではなく、サービスへの伝送装置またはビーコンの信号の伝送パラメータを調整するため、照明システムまたは照明装置の電気エネルギー供給を使用することができる。たとえば、高頻度の伝送周期は各サービスの精度を高くするが、このことはエネルギー消費量の増加の原因となり得る。
・従来の伝送装置またはビーコンのバッテリーの交換は、たとえば誤取扱に関するリスクを伴う。
・伝送装置またはビーコンへのエネルギー供給の中断がないことにより、サービスが利用不可になることを回避することができる。
・伝送装置またはビーコンの信号の信号伝播のためには、天井より下方の設置場所が有利となり得る。
・天井より下方を設置場所とすることにより、伝送装置またはビーコン自体を床の高さに設置する場合と比較して、床の高さにある他の物による干渉または遮蔽に対してシステム全体をよりロバストにすることができる。
・（不注意であるかまたは意図的であるかにかかわらず）伝送装置またはビーコンを改ざんまたは不正アクセスから保護することができる。
・照明システムと、たとえば測位サービス等のサービスとの双方を、「単一のソース」から成る全体システムとして提供することができる。
・さらに、たとえば伝送装置またはビーコンをコンフィギュレーションするため、または互いに相互リンクするため、照明システムの安全な通信ネットワークを使用することができる。
・伝送装置またはビーコンおよび照明システムの設置プロセスの標準化を容易にすることができる。
・さらに、たとえばセーフティ技術および／またはこれに類するものの要素を用いて、照明システムの通信ネットワークを介して周辺の建物インフラストラクチャの他のシステム要素に結合することも可能になる。
・伝送装置またはビーコンを見えないように各照明装置内または照明システム内に配置することができるので、視覚的に魅力的な照明システムを提供することができる。
【０００８】
ビーコンは伝送装置として、照明システムの照明装置内に組み込むことができる。照明システムは複数の照明装置を含むことができる。照明装置はビーコンの他、照射装置も備えており、これは１つまたは複数の照射手段を用いて所望の照明機能を提供するものである。ビーコンと照射装置とは互いに通信する。ビーコンは有利には、照明装置内に組み込まれるように配置されており、特に１つの共通の筐体内に配置されている。このことは、ビーコンのために別途筐体を設ける必要がないことを意味する。このことによって、意図した機能を高信頼性で果たせるように保護すべく、ビーコンを同時に配置することができる。照明システムの他の照明装置が、有利には当該照明装置と同一になるように設計することができる。さらに、もちろん特に照射装置が異なる照明装置を設けることができる。しかしこれに関しては、伝送装置またはビーコンを同一設計とすることができる。
【０００９】
ビーコンは、当該ビーコンに固有の識別データを含む無線信号を無線で放出するように構成されている。有利にはこの放出は、ＢＬＥ規格を用いて無線で行われる。ビーコンはさらに、有利には制御ユニットも備えており、これは計算ユニットと記憶ユニットとの双方を備えている。記憶ユニットには、計算ユニットを用いて所定の制御機能を実現できるように、計算ユニットのために設けられた実行可能なコンピュータプログラムがある。
【００１０】
ビーコンはさらに、他のビーコンと通信することもできる。通信リンクは、ＢＬＥ規格による無線通信リンクと同様の構成とすることができる。しかし、有線通信リンクも同様に可能である。ビーコンと他のビーコンとの間の通信リンクは有利には、信号を交換できるようにするため、特にデータを交換できるようにするため、双方向である。
【００１１】
さらに、他の通信リンクを介してビーコンをデータインフラストラクチャ装置に接続することもできる。データインフラストラクチャ装置は、照明システムを制御するため、ここでは特に照明システムの照明装置を制御するためのものとすることができる。インフラストラクチャ装置はたとえば、インターネットサーバまたは中央サービス提供サーバを備えることができる。データインフラストラクチャ装置はさらに、データを制御および／または伝送するためのものとすることができる。照明装置のローカルのビーコンは、無線放送動作の種類の無線信号を放出するための単なる伝送装置として、または、無線放送動作の種類の無線信号の放出の他に無線信号の受信または通信端末との双方向通信のサポートも行う、送信器と受信器との複合装置として、構成することもできる。
【００１２】
ビーコンの無線信号は、たとえばスマートフォンおよび／またはラップトップ等の通信端末を用いて受信することができる。
【００１３】
一用途例では、ユーザまたは装置は場合によっては、エリア内においてナビゲーションをするために自己を誘導しなければならないという課題、または、他のローカルデジタルサービス、たとえばアプリ、アプリ機能、グーグルマップ、Lightify（ライティファイ）および／または照明制御等を発見または使用したいという課題に直面することがある。所定のエリア内の、ビーコンが組み込まれた照明システムは、これらの可能な用途のために測位システムまたは誘導システムとなり得る。このようにして実現可能な、通信端末の自己測位を用いると、たとえばナビゲーション、場所固有の情報もしくはサービスの提供、および／またはこれらに類するもの等のサービスを提供することができる。
【００１４】
ビーコン技術の１つの側面は、たとえばビーコンの信号強度および／または伝送間隔等の典型的なパラメータを設定できることである。設定を変えることによって、種々の用途シナリオを個別にサポートすることができる。たとえば、短い間隔での高精度の測位の観点で高いサービス品質が要望される場合、たとえば屋内ナビゲーションにおいては、たとえば非常に短い送信間隔に設定しなければならない場合がある。
【００１５】
特にデジタル制御される照明システムの場合、たとえばデジタル・アドレッサブル・ライティング・インタフェース（ＤＡＬＩ）を用いている場合、デジタル照明制御を用いて特定のエリアの照射装置または照射手段の正確な制御を容易にするためには、どの照射手段またはどの照射装置がどの場所に配置されているかを一義的に識別できるようにしなければならない。こうするためには、各照明装置または各照射装置はそれぞれ、所定のエリア内における自己の位置を反映した空きアドレスを要する。当業者は、各対応する位置またはアドレスに対する各照明装置または各照射装置の上述の割り当てを「コミッショニング」とも称する。これに関しては、有利には複数の情報を組み合わせること、具体的には、各照明装置または各照射装置の一義的な識別情報、有利には一義的な固有の識別データの種類の情報、所定のエリア内における各照明装置または各照射装置の設置場所、すなわち照明装置または照射装置の物理的アドレス、および、照明装置または照射装置の識別子、たとえばそのデジタルアドレスを組み合わせることを要する。
【００１６】
たとえば、電力線通信またはこれに類する電力ベースの通信手段を介してエネルギー伝播によって、照明装置または照射装置のデジタルアドレスを制御ユニットまたはデータ処理ユニットへ伝送することができる。このようにして、照射装置または照射装置の安定器は、制御ユニットによってデジタルアドレスと共に登録することができる。しかしこのことによっては、所定のエリア内のどの物理的場所に照射装置が実際に配置されているかの情報は、未だ入手することができない。しかしこの情報は、規定されたエリアのみ、たとえば会議室またはその一部等のみを照明する必要がある場合に必要となる。
【００１７】
現在、照明システムまたは照射手段とその場所とを同時に、電子的に識別することは、通常は容易に行うことができない。典型的には、たとえば照明装置または照射装置の筐体に設けられたステッカーまたはエンボス部を介してしか、どの種類の照明装置または照射装置または照射手段であるかを認識することができない。他の１つの精巧な手段は、デジタル登録された全ての照射装置を照射システムの一部として個別に点滅させて、レイアウト内における位置情報を手動でマークすることである。
【００１８】
照射システムの一部としての照明装置および／または照射手段と照明管理システム（ＬＭＳ）とを効率的に接続するためには、システム全体またはシステム全体の個々の構成要素を識別するため、使い捨て型の１つまたは複数の電子的またはデジタル識別番号を有することが有利となり得る。
【００１９】
さらに、照明エリアまたはサービスエリアのための設置図上の照射装置または照射手段の位置は、通常は固定であるという固有の問題も存在する。これにより、納入またはコミッショニングされた照明装置または照射装置のうちどれを、たとえばどのランプ型式等を、エリアのどの位置に、たとえば建物のどの位置に配置すべきかの方針が、設置図によって設置担当者に提供される。
【００２０】
場所固有のサービス、または、たとえばビーコンを用いたユーザ等のナビゲーション等のサービスは、所定のエリア内に居るユーザが常時かつ制限なく利用可能でなければならない。こうするためには、中断無しの電気エネルギー供給の他、定期的な保守と、場合によっては、たとえばファームウェア等の計算プログラムの更新も要する。
【００２１】
ビーコンを用いるサービス、たとえば通信端末装置を用いたナビゲーション等は、ユーザが有利には常時利用可能でなければならず、また、可能である場合には制限なく利用可能でなければならない。こうするためにはとりわけ、ビーコンのための中断無しのエネルギー供給を必要とする。しかし、通信端末は通常、予め決まった、特にプロプライエタリの通信プロトコルに対応して構成されていることが障害になることが分かっている。差し当たり使用されている通信プロトコルは、通常は無線規格としてのＢＬＥ標準規格に基づいている。各通信端末固別の通信プロトコルに依存して、通信端末は全く異なる応答をする場合がある。その関連において、確立されているビーコンプロトコルの１つが、アップル社の「iBeacon」プロトコル（登録商標）である。たとえば、アップル社のオペレーティングシステムiOS（登録商標）に基づく通信端末は、iBeaconプロトコル（登録商標）に従って無線信号を受信して処理することができる。さらに、上述のような他のビーコンプロトコルも公知となっており、たとえばグーグル社の「Eddiestone」（登録商標）、または、オープンソースプロトコルであるビーコンプロトコル「AltBeacon」も公知となっている。よって、ビーコン技術の用途を可能な限り幅広くできるようにするためには、複数のビーコンプロトコルを並行して使用することが必要となる場合がある。このことによって、ビーコンの製造について、特にそのエネルギー供給と、対応するサービスの可能な高信頼性の提供等との双方に関して、問題が生じる。もちろん、ビーコンプロトコルごとに各自の調整されたビーコンを設けることは可能である。しかしこのことは、特にエネルギー供給および／またはビーコンの空間的配置に関する構造上の観点で高コストとなることが判明している。さらに、上述のことに応じて固有の識別データの数も増加し得る。
【００２２】
たとえば、スーパーマーケットのマネージャが、提供されているサービス、たとえばスーパーマーケット等全体における顧客のナビゲーションをどの顧客も任意の通信端末で制限なく使用できることを保証したい場合、可能性のある製造者固有またはオペレーティングシステム固有通信端末に従って調整されたビーコンをインストールする必要がある。しかしこのことによって、たとえばビーコンプロトコルが２つである場合、少なくとも２倍の数のビーコンをインストールしなければならなくなる。このことによって投資コストが高くなり、対応するバッテリー交換に起因してライフサイクルコストが高くなり、設置費用が高くなり、かつ、対応するビーコンプロトコルを固定するための設置費用も高くなる等の結果となる。さらに、種々のビーコンがたとえば伝送時間および無線信号強度等に関して調和していない場合には、通信端末による信号処理についての問題も生じ得る。
【００２３】
よって本発明の課題は、照明装置の伝送装置の機能性を改善することである。
【００２４】
本発明による解決手段として、独立請求項に記載された方法および照明装置を開示する。
【００２５】
他の有利な実施形態は、従属請求項の特徴に基づいて導き出すことができる。
【００２６】
上位概念の種類の方法では、特に、少なくとも固有の識別データを互いに異なる少なくとも２つのデータフォーマットで含む無線信号を、ちょうど１つの予め決まった無線規格に従って放出することを提案する。
【００２７】
上位概念の種類の照明装置では、特に、伝送装置がさらに、固有の識別データを互いに異なる少なくとも２つのデータフォーマットで含む無線信号を、ちょうど１つの予め決まった無線規格に従って放出することを提案する。
【００２８】
本発明は、無線信号を有利には、対応する無線規格の予め決まった範囲内にするだけで、有利には使用すべき予め決まった無線規格がちょうど１つだけとなるように、種々のビーコンプロトコルを実現できるとの洞察に基づいている。このことと関連して、各対応するデータフォーマットを使用する各対応する通信端末によって、当該通信端末に適したビーコンの無線信号として認識されるように、無線信号を、互いに異なる少なくとも２つのデータフォーマットにすることが可能になる。よって、異なるデータフォーマットに基づく複数の通信端末に対してビーコン技術を適用するために、別個のビーコンまたは伝送装置を設ける必要がなくなる。
【００２９】
データフォーマットが異なる無線信号をこの伝送装置またはビーコンが放出するために必要な無線ユニットが１つだけである場合、特に有利であることが判明している。しかしその他、各データフォーマットに割り当てられた２つまたは複数の無線ユニットを設けることも可能である。複数の無線ユニットによって無線信号の放出が適切に同期されるように、複数の無線ユニットが互いに通信することが可能である。こうするためには、伝送ユニットが制御ユニットを備えており、この制御ユニットに無線ユニットが接続されており、当該制御ユニットが無線ユニットを適切に制御することも可能である。たとえば、制御ユニットが無線ユニットのために固有の識別データを供給し、その後、無線ユニットが無線信号をフォーマッティングし、適宜同期することが可能である。また、無線信号を放出するために想定される無線ユニットが１つのみである場合、制御ユニットはその固有の識別データを、互いに異なる少なくとも２つのデータフォーマットにフォーマッティングして、対応する制御信号を当該１つの無線ユニットへ送信し、その後、無線ユニットは当該無線信号を送信することも可能である。
【００３０】
伝送装置またはビーコンはさらに、受信ユニットも備えることができ、これにより送受信装置が構成される。この受信ユニットは、たとえば、ビーコンの通信距離範囲内に位置する通信端末から通信信号を、有利には無線により、特に近距離無線通信により受信するためのものである。これによってさらに、たとえばビーコン側において無線信号の他にさらに、上述のようにして得られたデータにも基づいて通信信号を評価することにより、他のデータを放出する機能を提供すること、たとえば照明装置の機能、照明装置の照射装置の使用されている照射手段、および／または使用可能なデータフォーマット等に関するデータを放出する機能を提供することもできる。本事案において「近距離無線通信」とは、特に、無線接続を用いて数ｍの通信距離範囲、たとえば約１ｍ〜約２５ｍの範囲、有利には約１ｍ〜約１０ｍの範囲、特に有利には約２ｍ〜約５ｍの範囲を達成できることを意味する。
【００３１】
その関連において、本発明は伝送装置またはビーコンの上述の構成により、照明設備または照明装置または照明装置の照射手段の既存のエネルギーおよび／または通信インタフェースを１つまたは複数の伝送装置またはビーコンのエネルギー供給のために使用することが可能となる。これは２次側および／または１次側に、たとえば通信ならびに／もしくはエネルギー通信インタフェースおよび照射装置の電子安定器（ＥＣＧ）の通信インタフェースを含むことができる。
【００３２】
さらに、伝送装置またはビーコンのための別個のエネルギー変換器を削減できる１つの選択肢として、照射手段に対して並列の、伝送装置またはビーコンの電気的接続端があり、これは特に、１つの発光ダイオードユニットまたは発光ダイオード群、または場合によっては、発光ダイオード基板モジュールおよび／またはこれに類するものに対して並列である。
【００３３】
本発明は、１つまたは複数の伝送装置またはビーコンを用いて、２つまたは複数の無線信号、たとえば、それぞれ異なる内容を含む同一プロトコルの複数のビーコン信号、または異なるビーコンプロトコルの複数のビーコン信号を並行して、ブルートゥースローエナジー標準規格またはＷＬＡＮ標準規格等の１つの無線規格に基づいて、放出することを提案するものであり、伝送装置またはビーコンには、有利には照明装置の照射装置を介して電気エネルギーを供給することができる。
【００３４】
たとえば、各データフォーマットにより良好に適合するように、無線信号のパラメータを要求に応じて調整することができる。無線信号のパラメータはたとえば、搬送周波数、伝送パワー、位相調整、無線信号の帯域幅、信号種類および／または情報種類等とすることができる。伝送装置を用いて、有利には複数のサービスを、有利には並行して提供できるようにする必要がある。たとえばサービスＡについては、対応する無線信号を対応するデータフォーマットで、低い伝送性能であるが高い位置分解能で放出するため、高い位置精度が要求されるとする。しかし、サービスＢではたとえばそうではなく、可能な限り大きい到達範囲が要求され得る。これに応じて、信号Ｂの放出に際しては、高い伝送パワーかつ低い位置分解能とすることができる。したがって、使用される各データフォーマットに対してそれぞれ特別に適合できる無線信号の信号部が可能である。
【００３５】
有利には、無線信号を、互いに異なるデータフォーマットの数に少なくとも一致する数の連続した信号部に時間的に分割し、各データフォーマットがそれぞれ、当該複数の信号部のうち少なくとも１つに割り当てられることを提案する。このことによって無線信号を適合することが可能になり、これは、異なる複数のデータフォーマットを放出するために１つの無線信号とすればよい。その際にはもちろん、各データフォーマットがそれぞれ信号部のうち少なくとも１つに割り当てられることが可能である。しかし、１つのデータフォーマットを１つだけより多くの信号部に割り当てることも可能である。また、個々の信号部をいずれのデータフォーマットにも割り当てないことも可能であり、このことによってたとえば、無線信号は非伝送期間を含むことができる。
【００３６】
したがって、各データフォーマットの要件に依存して、たとえば、放出される頻度が高いデータフォーマットを複数の伝送部に割り当て、かつ、放出される頻度が比較的低いデータフォーマットを、比較的少ない伝送部に割り当てることにより、固有の識別データの放出の頻度を調整することもできる。基本的にはもちろん、複数の連続する信号部の略無限のシーケンスに無線信号を分割することができ、その際には、これに対応してデータフォーマットも割り当てられ、これらのデータフォーマットは割り当てパターンを構成することができる。しかし、無線信号自体が全体として、所定の無線信号期間を占有し、この所定の無線信号期間を、時間的に連続する複数の信号部に下位分割することも可能である。
【００３７】
有利には、各信号部の期間は、各割り当てられたデータフォーマットに依存する。これは、各データフォーマットの固有の識別データが要する期間の長さが異なり得ることを考慮したものである。これにより、無線信号の使用をさらに改善することができる。よって、無線信号が有利には、実質的に中断無しでデータを放出するように、信号部の期間を決定することができる。しかし、各信号部をそれぞれ別個の信号部であると簡単に認識できるように、各信号部の個別の期間または全ての期間が休止期間を有することも可能である。この休止期間は、適切な同期信号によって占有されることも可能である。
【００３８】
有利には、各信号部に割り当てられるデータフォーマットは、各データフォーマットに合わせて調整された伝送装置の各フォーマッティングユニットによって提供される。このことによって、固有の識別データを各データフォーマットで簡単に生成または提供することができる。またこのフォーマッティングユニットは、少なくとも２つまたは場合によってはより多くのデータフォーマットを提供できるように構成することも可能である。本実施形態ではフォーマッティングユニットは、予め決定されたスイッチング状態に従って、各スイッチング状態に対応するデータフォーマットで固有の識別データを出力するように、適切にスイッチング可能となるように構成することができる。しかしこの観点では、フォーマッティングユニットは上述の制御ユニットの一部とすることができる場合があり、また、特に１つの無線ユニットのみが設けられている場合、フォーマッティングユニットを１つの無線ユニットの一部とすることもできる。
【００３９】
他の一発展形態では、信号部のうち第１の信号部の期間の終了時点に達すると、当該第１の信号部の直後に続く第２の信号部に割り当てられたデータフォーマットに従った固有の識別データの出力が、自動的にトリガされることを提案する。その際には、固有の識別データは直ちに、各割り当てられた伝送部に対して、対応するデータフォーマットで生成されるように構成されている。かかる構成は特に、伝送装置またはビーコンを製造し、その後にのみ伝送装置またはビーコンに個別の固有の識別データを付与して伝送装置またはビーコンに記憶するために適している。このようにして、伝送装置またはビーコンのハードウェア装置を標準化することができ、費用対効果が高い製造が促進される。
【００４０】
有利には、各信号部は、各信号部に割り当てられた、伝送装置の専用の無線ユニットによって放出されるように構成されている。かかる構成により、これらの無線ユニットは共に無線信号を放出し、有利には、各無線ユニットが、各自に割り当てられた信号部を放出するように時分割多重化で放出する。このようにして、各割り当てられたデータフォーマットに合わせて特別に調整された無線ユニットによって無線信号を放出することができる。
【００４１】
有利には無線信号は、無線ユニットの各伝送部を連結することによって調達される。
【００４２】
さらに、少なくとも伝送装置の無線ユニット間に通信リンクを設けることも提案する。有利には通信リンクは、複数の異なる照明装置の伝送装置の無線ユニット間にも存在し、これにより、メッシュネットワークの種類の通信ネットワークを構成することができる。このことによって、有利には各無線信号の阻害されない放出を容易にできるように、複数の異なる伝送方向、特にその無線ユニットを、適切に同期することができる。たとえば、隣り合った照明装置の伝送信号の、各通信端末による可能な限り阻害されない受信を達成できるようにすべく、当該無線信号の重なり合いが可能な限り小さくなるように当該照明装置の伝送装置の無線信号が同期するよう、構成することができる。このことと関連して、同期については、通信装置と各伝送装置またはビーコンとの間の通信距離範囲も考慮することができる。このようにして、たとえば伝送装置またはビーコンが、いかなる手段を用いても互いに遠い距離にある場合、すなわち、伝送装置の各距離が、各通信端末が伝送装置の無線信号を妨害されることなく受信するために十分に通信距離範囲を明らかに超える場合、重なり合いが許容範囲となり得る。
【００４３】
無線ユニットのうち都度アクティブな各信号部に割り当てられた無線ユニットにのみ電気エネルギーを供給すると、特に有利であることが判明している。このことにより、伝送装置またはビーコンの、特にエネルギー効率が高い動作を達成することができる。無線ユニットへの電気エネルギーの供給は、たとえば制御ユニットを用いて制御することができる。
【００４４】
さらに、信号部のうち、互いに異なる２つのデータフォーマットで固有の識別データを有する少なくとも２つを、単一の無線ユニットによって放出することも提案する。その関連において、無線ユニットは、互いに異なる少なくとも２つのデータフォーマットで固有の識別データを放出できるように構成されている。さらに、たとえば第１の無線ユニットによっては実現できない他のデータフォーマットに従って固有の識別データを放出する他の無線ユニットを設けることも可能である。全体的にこのことによって、必要な無線ユニットの数を最小限に抑えることができる。有利には、設けるべき無線ユニットは１つのみである。その際にはこの１つの無線ユニットは、互いに異なる全てのデータフォーマットを使用できるように構成されている。
【００４５】
特に、各信号部に割り当てられるデータフォーマットおよび／または設けるべき信号部の数に関して無線ユニットが調整されている場合、有利であることが判明している。これにより、伝送装置用の標準化された無線ユニットであって、ビーコン技術の可能な限り幅広い用途を可能にするために、場合によっては照明装置の設置後もなお、必要に応じて適宜調整できる無線ユニットを、実現することができる。こうするためには、伝送装置またはビーコンが受信ユニットを備えており、当該受信ユニットを介して無線ユニットを適宜調整できる構成が可能である。この調整はたとえば、伝送装置または無線ユニットの計算ユニットを適切にプログラミングすることによって行うことができる。このことはたとえば、ファームウェア更新等の一部として行うことができる。
【００４６】
さらに、少なくとも、伝送装置を備えた照明装置を用いて意図された照明動作モードで照明されるエリアに、無線信号を放出することを提案する。このことによって、少なくとも、照明装置の照明され得るエリアにおいて、割り当てられた伝送装置またはビーコンに対応する無線信号を受信することもできる。しかし、照明され得るエリア以外で無線信号を受信することも可能である。
【００４７】
有利には、無線信号の放出は、予め決定された時間間隔で繰り返される。このことは特に、時間的広がりがたとえば対応する無線信号期間等に制限される無線信号に関係するものである。よって、無線信号の連続放出を行う必要はなく、このことによってエネルギーを削減することができ、なおかつ、他の伝送装置またはビーコンが自己の無線信号を可能な限り阻害されることなく送信できる期間を形成することができる。全体的にこのことによって、伝送装置またはビーコンを有する複数の照明装置を備えた照明システムの機能性を改善することができる。
【００４８】
さらに、伝送装置が受信ユニットを用いて通信端末の端末信号を受信し、当該端末信号のデータフォーマットを特定し、特定されたデータフォーマットに従って固有の識別データを有する無線信号を放出すると、有利であることが判明している。このことによって、伝送装置は高度にフレキシブルに、特定の通信端末に対して応答することができ、ここでは特に、各通信端末によって使用されているデータフォーマットに対して応答することができる。たとえば、伝送装置またはビーコンが、受信したデータフォーマットに従って固有の識別データの放出を切り替えるように構成することができる。このことは、伝送装置またはビーコンが全てのデータフォーマットを定期的に放出する必要がなくなるという利点を奏する。このようにして、伝送装置またはビーコンの意図された動作での簡単な特定の適合を達成することができる。
【００４９】
さらに、特に上述の特定されたデータフォーマットをデータフォーマットと比較し、信号部のうちいずれか１つの信号部の特定されたデータフォーマットに割り当てると、有利であることが判明している。信号部のこのような割り当ては、特定されたデータフォーマットに空きの信号部を割り当てることによって行うことができる。しかし、既にデータフォーマットに割り当てられた信号部を、特定されたデータフォーマットに割り当てることも可能である。このことによって、ビーコン技術の使用に関するフレキシビリティをさらに改善することができる。
【００５０】
本発明の方法に関して示した実施形態の変形態様、利点および効果は、本発明の照明装置にも同様に類推的に適用することができ、またその逆も成り立つ。その関連において、方法の各特徴は、そのために適した手段の機能的特徴とみなすことができる。
【００５１】
添付の図面を参照して、以下記載されている実施形態を参酌すれば、他の利点および特徴が導き出される。図面中、同一の符号は同一の特徴および機能を表している。
【図面の簡単な説明】
【００５２】
【図１】複数の照明装置を備えた照明システムのうち１つの照明装置への、伝送装置としてのビーコンの組込みを示す、概略的なブロック図である。
【図２】本発明の第１の構成の照明装置の概略的なブロック図である。
【図３】本発明の第２の構成の照明装置の概略的なブロック図である。
【図４】本発明の第３の構成の照明装置の概略的なブロック図である。
【００５３】
図１は照明システム１０の概略的なブロック図であり、照明システム１０は照明装置１２と、複数の他の照明装置２０とを備えている。各照明装置１２，２０はそれぞれ、図示されていない光放出用の１つまたは複数の照射手段を備えた照明装置と、伝送装置としてのビーコン１６とを含む。ビーコン１６は本実施例では、照射装置１４に配置されている。ビーコン１６は無線放送の方式で、当該ビーコン１６に固有の識別データを含む無線信号７８を無線放送の方式で一方向に無線で放出する。この放出は本実施例では、ブルートゥースローエナジープロトコル（ＢＬＥ）に基づいて近距離無線通信を用いて行われる。
【００５４】
ビーコン１６は、計算ユニット３０と記憶ユニット３２とを備えた制御ユニット２８を有し、記憶ユニット３２は通信のため、計算ユニット３０に結合されている。記憶ユニット３２には、計算ユニット３０を用いて所定の機能を提供できるように、計算ユニット３０のための実行可能な計算プログラムが記憶されている。本実施例ではこの機能は、ビーコン１６を、予め決定可能な態様で動作させるためのものである。他の照明装置２０は基本的に、照明装置１２の構成と同様の構成となっている。
【００５５】
本実施例ではビーコン１６は、無線信号７８を放出する他、双方向通信リンク２４も提供できる送受信装置として構成されている。この通信リンク２４を介して照明装置１２、ここでは特にビーコン１６は、対応する構成の他の照明装置２０と通信する。
【００５６】
通信リンク２４は本実施例では双方向通信リンクであり、これも同様に、近距離通信に基づくものであり、上述のＢＬＥ規格を使用する。
【００５７】
さらに照明装置１２、ここでも同様に特にビーコン１６は、他の通信リンク２６を介してインフラストラクチャ装置２２と通信し、これにより、照明装置１２の意図されている動作に関するデータ、および、他の照明装置２０に関するデータの双方を交換することができる。このようにして照明装置１２、ここでは特にビーコン１６は、たとえばネットワークノードの態様で、インフラストラクチャ装置２２からの対応するデータを照明装置２０へ転送し、その逆方向にも転送する装置としても機能する。
【００５８】
ビーコン１６または照明装置２０のビーコンによって放出された無線信号７８は、１つまたは複数の通信端末３４によって受信および評価されることができる。通信端末３４は本実施例では、スマートフォンの種類の移動無線装置である。本実施形態では、通信端末３４が無線信号７８を受信および評価することのみを想定しているので、一方向にのみ通信が行われる。他の照明装置２０のビーコンも、この通信端末３４によって受信されることが可能である。よって、通信端末３４を用いて複数のサービスを利用可能とし、またはサポートすることができ、このことによって、通信端末３４のユーザが、非常に多岐にわたる追加サービスを利用することができる。
【００５９】
このようにして、照明装置１２，２０が配置された所定のエリアであって、無線信号７８を通信端末３４によって受信できる所定のエリア内では、当該通信端末３４のユーザはより良好に自己誘導またはナビゲーションすることができ、また、他のローカルの、特にデジタルのサービスを発見して利用することができ、たとえばアプリ、アプリ機能、グーグルマップ、Lightifyおよび／または照明制御等を発見して利用することができる。各照明装置１２，２０内に配置されたビーコン１６を備えた照明システム１０により、上述の潜在的ユーザに対して測位システムまたは誘導システムが可能になる。特に、通信端末３４の高精度の自己測位を実現することができ、これにより、たとえばナビゲーションまたは場所固有情報の提供等のサービスが利用可能になる。
【００６０】
ビーコン技術の１つの側面は、たとえばビーコン１６の無線信号７８の信号強度および／または伝送間隔の典型的なパラメータを設定できることである。設定を変えることによって、種々の用途シナリオを個別にサポートすることができる。特に屋内ナビゲーションの場合に必要とされるような、たとえば高いサービス品質、たとえば短い間隔での高精度の測位が要望される場合、有利には、非常に短い送信間隔に設定することができる。
【００６１】
図２は、第１の実施形態の照明装置１２を示す概略的なブロック図であり、これは基本的に、既に図１を参照して説明した照明装置１２と一致する。図２の照明装置１２は、伝送装置としての２つの無線ユニット４４，４６を備えたビーコン７６と、照射装置６２とを有する。無線ユニット４４，４６を備えたビーコン７６は、ここでは照射装置６２内に配置されており、無線標準規格としてのＢＬＥ規格に従い、ビーコン７６に固有の識別データを有する信号部１８，４８を含む各無線ユニット固有の無線信号を、近距離無線通信によって無線で放出するように構成されている。両無線ユニット４４，４６は共に、ちょうど１つの当該無線標準規格による無線信号を放出するように構成されている。本実施例では無線信号は、無線ユニット４４によって出力される第１の伝送部１８と、無線ユニット４６によって出力される第２の伝送部４８の、２つの伝送部から構成されている。
【００６２】
信号部１８，４８の無線信号は、ビーコン７６の固有の識別データを、互いに異なるここでは２つのデータフォーマットで含んでいる。このことと関連して、上述の複数の無線ユニット４４，４６は各データフォーマットに応じて構成されている。こうするためには、最初にたとえば伝送間隔および／または信号強度等の伝送パラメータを、たとえばシステム全体の製造中に固定することができる。
【００６３】
本実施例ではさらに、無線ユニット４４がスイッチオンされると直ちに５０ｍｓごとに、プロトコルＦによるデータフォーマットを使用してビーコン７６の固有の識別データを放出するように構成されている。それに対して無線ユニット４６は、最初に２５ｍｓ遅延して、同様に５０ｍｓごとに、プロトコルＧに基づくデータフォーマットによりビーコン７６の固有の識別データを同様に放出する。これに代えて、またはこれと共に、無線ユニット４４，４６間で直接的な双方向通信を実現することができ、または、たとえば電子安定器６６の中央情報処理を実現することもできる。最初に述べた事例では、有利には無線ユニット４４，４６間に通信リンクを設ける。それに対して２番目の事例では、中央情報処理の他にさらに、各無線ユニット４４，４６それぞれの通信リンクを設ける。これとの関連においては、有利には、放出された信号部１８，４８が最良に互いに相互に影響し合わないことを保証するため、無線ユニット４４，４６が無線信号の信号部１８，４８を、それぞれ規定されたリズムで、たとえば交互に放出するように構成することができる。たとえば、無線ユニット４４は１００ｍｓのリズムで自己の信号を放出し、無線ユニット４６も同様に１００ｍｓのリズムで自己の信号を放出するが、それぞれの信号の放出は時間的に５０ｍｓオフセットするように構成することができる。
【００６４】
このことによって、たとえばシステム全体における各システム要素の配置等に関して、照明装置１２におけるビーコン７６の配置について種々の構造的レバーまたは要件を与えることができる。さらにここでは、信号部１８，４８を含む無線信号の放出は、照射装置６２によって放出される光３６の方向に行われる。このことによって、ユーザに対しては、ビーコン７６への通信距離範囲の視覚的に知覚可能な制限も同時に存在することとなる。
【００６５】
ビーコン７６は有利には照射装置６２内に、ここでは特に照射装置６２の図示されていない筐体内に配置されている。この配置は、電磁両立性に起因する悪影響、特に照射装置６２のエネルギー供給に関する悪影響を、可能な限り小さくするために行われる。
【００６６】
ビーコン７６の電子的アセンブリ、たとえば無線ユニット４４，４６は、照射装置６２内、たとえば台座領域内に配置されており、またエンドキャップも配置されている。これにより、本実施例では有利には照射ダイオードモジュールによって構成されている、照射装置６２の照射手段の光学的遮蔽を、回避することができる。それと同時に、対称的な放射特性の対称的な配置によって、対称的な放射を達成することもできる。
【００６７】
本実施形態では無線信号は、無線ユニット４４によって出力される第１の信号部と、無線ユニット４６によって出力される第２の信号部との２つの信号部を有するように構成されている。無線ユニット４４，４６は、ここでは当該無線ユニット４４，４６に割り当てられたデータフォーマットに従って固有の識別データを交互に放出するように協調制御される。これにより、通信端末３４等の複数の異なる通信端末に対応するサービスを提供可能とすることができ、かつ、信号部１８，４８が互いに影響を与え合わないことを保証することができる。
【００６８】
図２の照明装置１２は、図１を参照して説明したように、照明システム１０の一体部分とすることができる。図２の上部分に、照明装置１２の照射装置６２を詳細に示している。照射装置６２は本実施例では、電子安定器６６と、エネルギー伝送路６０を介して電子安定器６６に接続されたエネルギーインタフェース６４と、他のエネルギー伝送路７０を介して電子安定器６６に接続された発光ダイオード配置体６８とを備えている。照射装置６２が、予め決定可能な態様で光３６を放出するように、電子安定器６６によってエネルギー伝送路６０，７０を介して発光ダイオード配置体６８に、予め決定可能な態様で電気エネルギーが供給される。こうするためには、エネルギーインタフェース６４は電気エネルギーを主電源から受け取る。
【００６９】
本実施例では、電子安定器６６はさらに、エネルギー伝送を介してビーコン７６の無線ユニット４４，４６に、具体的には、無線ユニット４４，４６に対して設けられた各エネルギーインタフェース７２に給電する。このことによって、信号部１８，４８を有する無線信号を放出するようにビーコン７６を、特にビーコン７６の無線ユニット４４，４６を、予め決定可能な態様で動作させることができる。さらに、照明装置１２は主電源５０に接続されており、主電源５０は公共のエネルギー供給系統から電気エネルギーを受け取って照明装置１２へ供給する。
【００７０】
ビーコン７６によって放出される、伝送部１８，４８を有する無線信号は、（既に図１を参照して説明したように）通信端末３４を用いて受信されることができ、更なる使用またはサービスを提供するために供されることができる。さらに通信端末３４は、通信リンク３８を介してルータ４０と通信することができ、これも近距離無線通信として構成されている。ルータ４０は、有線の通信リンク４２を介してインフラストラクチャ装置２２に接続されている。これは本実施例では、図１のインフラストラクチャ装置２２として、インターネットまたは中央サービスサーバへのアクセスを提供するものである。
【００７１】
無線ユニット４４，４６はそれぞれ、ビーコン７６に割り当てられた同一の一義的な固有の識別データを使用する。無線ユニット４４，４６は、各無線ユニット４４，４６それぞれに存在するこの固有の識別データを、当該無線ユニット４４，４６に割り当てられたデータフォーマットに従ってフォーマッティングし、対応する信号部１８または４８を無線信号として放出する。
【００７２】
図３は、本発明の他の一実施形態を図２のように示す概略的なブロック図である。図３の実施形態が図２の実施形態と相違する点は、図２のビーコン７６に代えて、伝送装置としてのビーコン５２が照明装置１２に設けられていることである。その他の特徴は、図１および図２について既に説明したものに対応するので、対応する説明も参照されたい。
【００７３】
本態様では、３つの信号部１８，４８，５８である無線信号の放出が、各対応する信号部１８，４８，５８に割り当てられた無線ユニット５４を用いて行われる。これらの無線ユニット５４は本実施例では、ビーコン５２内部に組み込まれるように配置されており、有利には、１つの共用のアンテナを備えた１つの共通のプリント回路基板上に配置されている。この配置については、上記実施形態について行った説明を参照されたい。
【００７４】
かかる実施形態により、照射装置６２によって複数の無線ユニット５４へエネルギーを供給するために１つの共用のエネルギーインタフェース７２を使用することができる。本実施例では、信号部１８，４８，５８が有利には互いに影響を及ぼし合わないように、無線ユニット５４は規定されたリズムで、有利には交互に、各自対応する信号部１８，４８，５８を放出する。その関連において、無線ユニット５４の放出の制御または調整は、ここでは計算ユニット３０によって構成されている情報処理部により行われる。図３では、各無線ユニット５４がそれぞれ計算ユニット３０を備えているのが示されている。しかし、これに代わる他の一実施形態では、ビーコン５２の一体部分である１つの計算ユニット３０のみを設け、この１つの計算ユニット３０が無線ユニット５４を適切に制御することも可能である。
【００７５】
図３の実施形態は、照射装置６２によってエネルギー供給を行うために１つの共通のエネルギーインタフェースを用いることを可能にするだけでなく、それと同時に、通常は非常に制限されている、照明装置１２内の構造スペースを最大限に使用できるようにする。有利には、無線ユニット５４は互いに調整される。無線信号としての各対応する信号部１８，４８，５８の放出は、時間的にオフセットすることも同様に可能である。
【００７６】
このようにして、たとえば複数の異なる通信端末３４に対応するビーコンプロトコル等の複数の異なる伝送プロトコルを、ビーコン５２によって提供することができる。本実施形態により、ビーコン５２のフレキシブルなコンフィギュレーション、または、伝送間隔または伝送部および／または伝送プロトコルまたはデータフォーマットの定義が可能になる。このコンフィギュレーションはたとえば、ＢＬＥを使用して、たとえば通信端末３４等の通信端末を介して無線で行うことができ、こうするために、ビーコン５２は有利には受信ユニットを備えている。これによってビーコン５２は、自己のパラメータを調整するための対応するデータを受信することができる。
【００７７】
ここでもビーコン５２は、（上記実施形態と同様に）、１つまたは２つの台座領域に配置することができる。このことによっても、発光ダイオード配置体６８によって生成された光３６の光学的遮蔽を回避することができる。
【００７８】
有利には、ビーコン５２はさらに、照明装置１２の、エネルギー供給の高電圧が印加されない側または端部領域に配置されている。これにより、たとえば電磁干渉によるビーコン５２の干渉を大幅に回避することができる。
【００７９】
図４は、本発明の他の一実施形態の他の概略的なブロック図である。図４の実施形態は基本的に、図３の実施形態に基づいており、本実施形態ではビーコン５２に代えてビーコン５６が設けられているだけである。他の特徴および機能については、図３の実施形態についての説明を参照されたい。
【００８０】
図４の実施形態ではビーコン５６は、詳細には図示されていない１つの無線ユニットのみを備えており、この無線ユニットは、信号部１８，４８，５８を有する無線信号を各データフォーマットに従って放出するように構成されている。具体的には本実施形態では、１つのアンテナを備えた１つの無線ユニットのみが設けられており、この１つのアンテナは、無線信号の各信号部で使用可能なデータフォーマットについてほぼ自由に調整することができる。ここでも信号部１８，４８，５８は、予め決定された規定のリズムで、本実施例では交互に放出されるように構成されている。その関連において、信号部１８，４８，５８はそれぞれ異なるビーコンプロトコルに割り当てられている。これに応じて、これらの信号部１８，４８，５８に対応するデータフォーマットが選択される。
【００８１】
本実施形態によって、データフォーマットと、設けるべき異なるデータフォーマットの数とについて、ほぼ所望の通りにビーコン５６を調整することができる。このことによって、ビーコン５６を特に事後でも、新規実装されるデータフォーマットに合わせてほぼ所望の通りに調整することができるので、高いフレキシビリティを達成することができる。こうするためには、ビーコン５６は（ビーコン５２と同様に）、詳細には図示されていない受信ユニットを備えており、この受信ユニットによって、調整すべきパラメータおよびデータフォーマットに関するデータを受信することができる。計算ユニット３０は、これに応じてビーコン５６を調整するように構成されている。本実施形態は、特に必要とされるハードウェアに関して、特に低コストである。
【００８２】
しかし図４の実施形態は、他の実施形態でも使用することができる。つまり図４の実施形態は、伝送装置としての仮想上のビーコンを提供することができる。こうするためには、これに応じて複数の独立した無線信号を含む、２つ以上の独立した無線信号を設けることができ、これらの各無線信号は、これに応じて各自固有の識別データを含む。よってビーコン５６は、２つまたは複数の固有の識別データを有することができ、これらの識別データはこれに応じて、互いに独立した複数の無線信号で送信される。ここではもちろん、無線信号は各自固有の識別データを、互いに独立したデータフォーマットで含むことができる。
【００８３】
本実施形態により、たとえば各固有のアプリケーションまたはアプリを使用して、各個別の仮想上のビーコンを大部分において独立して、特に互いに完全に独立してコンフィギュレーションすることができる。その関連において、有利には、全ての仮想上のビーコンが実質的に自由にコンフィギュレーション可能となっている。たとえば無線信号の内容、たとえばＵＵＩＤもしくはこれに類するもの、伝送パワー、伝送間隔、符号化および／またはこれに類するものを、自由に選択することができる。さらに本実施形態は、さらに複数の異なる無線プロトコルまたは無線標準規格を使用することもでき、これらを、仮想上のビーコンの各無線信号に割り当てることができる。また、これらの組み合わせを使用して、たとえば公知のビーコンプロトコルを互いに組み合わせたものを構成すること、たとえばiBeacon、Eddiestone、AltBeaconおよび／または他のプロトコルの組み合わせを構成することが可能である。
【００８４】
特に有利なのは、計算プログラム、たとえばソフトウェアまたはファームウェア等を、各個別の仮想上のビーコンに対して特別に設けることができることである。計算ユニットは、各仮想上のビーコンに割り当てられた各ソフトウェアプログラムを更新することができ、その関連において有利には、他の残りの仮想上のビーコンに依存せずに当該更新を行うことができる。
【００８５】
他の一発展形態では、たとえば特定の通信端末またはアプリケーションまたはアプリへのアクセスを特定の信号に制限するため、各個別の仮想上のビーコンに対して異なる暗号化手法を使用できるように構成することができる。かかる構成により、たとえば計算プログラムまたはその一部を更新するためのアクセス許可を規制することもできる。
【００８６】
上記実施形態の他の発展形態では、伝送装置またはビーコンがオプションの通信インタフェースを備える構成も可能である。この通信インタフェースはたとえば、伝送装置もしくはビーコンのコンフィギュレーションをたとえばプロトコルの選択によって行うため、および／または、たとえば伝送間隔ならびに／もしくはこれに類するものに関して伝送装置もしくはビーコンを互いに、ならびに／もしくは隣接して配置された照明装置の他の伝送装置もしくはビーコンに合わせて調整するために、使用することができる。その際には、たとえばメッシュネットワーク等の態様の無線データネットワークを介して通信を行う構成が可能である。さらに、照明装置１２の既存の通信インタフェースを介して、たとえば照明管理システムおよび／またはＤＡＬＩ（digital addressable lighting interface）バス等を介して通信を行うことも可能である。さらに、別個の無線通信路または無線技術を介して、たとえばＢＬＥ、ＺｉｇＢｅｅおよび／またはＷＬＡＮ等を介して通信を行うことも可能である。最後に、エネルギー・通信用複合インタフェース、たとえばパワー・オーバー・イーサネット（Power over Ethernet）等を回して通信を行うことも可能である。
【００８７】
上記の実施形態は本発明を説明するためだけのものであり、本発明を限定することを意図したものではない。
【符号の説明】
【００８８】
１０  照明システム
１２  照明装置
１４  照射装置
１６  ビーコン
１８  信号部
２２  インフラストラクチャ装置
２４  通信リンク
２６  通信リンク
２８  制御ユニット
３０  計算ユニット
３２  記憶ユニット
３４  通信端末
３６  光
３８  通信リンク
４０  ルータ
４２  通信リンク
４４  無線ユニット
４６  無線ユニット
４８  信号部
５０  主電源
５２  ビーコン
５４  無線ユニット
５６  ビーコン
５８  信号部
６０  エネルギー伝送路
６２  照射装置
６４  エネルギーインタフェース
６６  安定器
６８  発光ダイオード配置体
７０  エネルギー伝送路
７２  エネルギーインタフェース
７４  エネルギー伝送路
７６  ビーコン
７８  無線信号
【図１】
2018107800.tif 000003
【図２】
2018107800.tif 000004
【図３】
2018107800.tif 000005
【図４】
2018107800.tif 000006
【外国語明細書】
2018107800.tif 000007
2018107800.tif 000008
2018107800.tif 000009
2018107800.tif 000010
2018107800.tif 000011
2018107800.tif 000012
2018107800.tif 000013
2018107800.tif 000014
2018107800.tif 000015
2018107800.tif 000016
2018107800.tif 000017
2018107800.tif 000018
2018107800.tif 000019
2018107800.tif 000020
2018107800.tif 000021
2018107800.tif 000022
2018107800.tif 000023
2018107800.tif 000024
2018107800.tif 000025
2018107800.tif 000026
2018107800.tif 000027
2018107800.tif 000028
2018107800.tif 000029
2018107800.tif 000030
2018107800.tif 000031
2018107800.tif 000032
2018107800.tif 000033
2018107800.tif 000034
2018107800.tif 000035
2018107800.tif 000036
2018107800.tif 000037
2018107800.tif 000038
2018107800.tif 000039
2018107800.tif 000040
2018107800.tif 000041
2018107800.tif 000042
2018107800.tif 000043
2018107800.tif 000044
2018107800.tif 000045